(57)【要約】【課題】マルチキャストメッセージの送受信を行う場合、ＣＰＵ間通信を行う処理装置を正しく特定する。【解決手段】入力処理装置（１１）は、第１の処理装置と第２の処理装置とを１対１に通信可能に接続するＵＡＲＴ接続部（１３２）を備え、第１の処理装置は、同報メッセージを、イーサネット接続部（１３１）ではなく、ＵＡＲＴ接続部（１３２）を介して第２の処理装置に対して送信することを決定し、送信する信号生成部（１１１２）を備える。【選択図】図１
2015125481.tif 000002
【特許請求の範囲】
【請求項１】
プラグアンドプレイを実行するための通信規約を実装している第１の処理装置および第２の処理装置を備える電子機器であって、
上記第１の処理装置、上記第２の処理装置、および上記電子機器の外部機器をそれぞれ相互に通信可能に接続する相互通信接続部と、
上記第１の処理装置と上記第２の処理装置とを１対１に通信可能に接続する第１専用通信接続部と、を備え、
上記第１の処理装置は、
上記通信規約にて規定されており、上記第１の処理装置および第２の処理装置の間の接続を確立するための同報メッセージを、上記相互通信接続部ではなく、上記第１専用通信接続部を介して、上記第２の処理装置に対して送信する送信手段を備える、
ことを特徴とする電子機器。
【請求項２】
上記同報メッセージは、機器を制御する制御局が上記機器を検索するための検索要求、または、上記機器が上記制御局に対して存在を通知するための存在通知であることを特徴とする請求項１に記載の電子機器。
【請求項３】
上記第１の処理装置は、機器を制御する制御局であり、
上記第２の処理装置は、上記機器であり、
上記第１の処理装置は、上記第２の処理装置との接続が確立された後、上記第２の処理装置を制御するための制御信号を上記相互通信接続部を介して上記第２の処理装置に対して送信する制御信号送信手段をさらに備えることを特徴とする請求項１または２に記載の電子機器。
【請求項４】
上記第１の処理装置および上記第２の処理装置のうち少なくとも一方は、
上記相互通信接続部を介して、上記外部機器との間の接続を確立するための同報メッセージを送信、または、受信することを特徴とする請求項１から３のいずれか１項に記載の電子機器。
【請求項５】
上記第１専用通信接続部および上記相互通信接続部を含み、上記第１の処理装置と上記第２の処理装置とを接続する接続部をさらに備え、
上記第１の処理装置と上記第２の処理装置とは、上記接続部を介して着脱可能に構成されていることを特徴とする請求項１から４の何れか１項に記載の電子機器。
【発明の詳細な説明】
【技術分野】
【０００１】
本発明は、複数の処理装置を備える電子機器に関する。
【背景技術】
【０００２】
従来、機器同士がネットワークを通じて接続されるだけで、機器の機能を連携するプラグアンドプレイに関する技術が知られている。プラグランドプレイ技術の一例としては、ＵＰｎＰ（Universal Plug and Play）が挙げられる。ＵＰｎＰでは、具体的には、ネットワークを介して接続されている制御対象機器（デバイス）を、別の制御機器（コントロールポイント）が検出する。これにより、ユーザはコントロールポイントを操作することでデバイスを操作することができる。よって、ＵＰｎＰを実行可能な機器を、ネットワークを通じて他の機器と接続するだけで、複雑な操作や設定作業を伴うことなく、機器の機能を連携することができる（非特許文献１および２）。
【先行技術文献】
【特許文献】
【０００３】
【特許文献１】特開２０１２−１８１２５４号公報（２０１２年９月２０日公開）
【特許文献２】特開２０１１−１２１４７１号公報（２０１１年６月２３日公開）
【非特許文献】
【０００４】
【非特許文献１】Allegro Software Development Corporation、外８名、“UPnP Device Architecture 1.0”、UPnPTM FORUM、2008年4月28日
【非特許文献２】John Ritchie、“MediaServer:1 Device Template Version 1.01”、UPnPTM FORUM、2002年6月25日
【発明の概要】
【発明が解決しようとする課題】
【０００５】
ところで、内部に複数の処理装置を備える機器が増えている。このような機器においては、処理装置間での通信（以降、「ＣＰＵ（Central Processing Unit）間通信」と呼称する）を行うことで、処理装置間で情報を送受信する（特許文献１および２参照）。
【０００６】
このようなＣＰＵ間通信において、通信バスとして各ＣＰＵに標準的に搭載されるイーサネット（登録商標）を用い、通信プロトコルとしてＵＰｎＰを採用する場合、処理装置の１つがコントロールポイントとなり、残りの処理装置がデバイスとなる。
【０００７】
しかしながら、複数の処理装置におけるＣＰＵ間通信を、ＵＰｎＰを用いて行う場合、以下に示すような問題がある。この問題について図１０を参照して説明する。
【０００８】
コントロールポイントがデバイスを検出するためには、Ｍ−ＳＥＡＲＣＨ（検索要求）信号を送信し、当該信号を受信したデバイスからの応答信号を受信する方法、または、デバイスが送信したＮＯＴＩＦＹ（存在通知）信号を受信する方法がある。ここで、上記検索要求信号および存在通知信号は、いずれもマルチキャストメッセージで送信される。このため、検索要求信号および存在通知信号は、ネットワーク全体に送信されることとなる。
【０００９】
つまり、図１０の（ａ）に示すように、コントロールポイントが送信した検索要求信号がネットワーク全体に送信されることにより複数のデバイスが検出される場合がある。よって、このような場合、コントロールポイントとなる処理装置は、どのデバイスがＣＰＵ間通信の相手であるのかを特定できないという問題がある。
【００１０】
また、図１０の（ｂ）に示すように、デバイスが送信した存在通知信号がネットワーク全体に送信されることにより複数のコントロールポイントが当該デバイスの存在を認識する場合がある。よって、この場合も、どのコントロールポイントがＣＰＵ間通信の相手であるのかを特定できなくなる。
【００１１】
すなわち、機器が備える処理装置の間だけでＭ−ＳＥＡＲＣＨおよびＮＯＴＩＦＹのようなメッセージがやり取りされるような場合でも、Ｍ−ＳＥＡＲＣＨおよびＮＯＴＩＦＹは、マルチキャストメッセージであるため、他の機器にこれらのメッセージが送信されてしまうことがある。
【００１２】
複数の機器がコントロールポイントにおいて発見された場合、基本的には、いずれの機器と通信を行うかを、ユーザが手動操作によって選択しなければならなくなる。
【００１３】
本発明は、上記の問題点に鑑みてなされたものであり、その目的は、ＣＰＵ間通信における、プラグアンドプレイを実行するための通信規約にて規定されている同報メッセージの送受信を行う場合において、ＣＰＵ間通信を行う処理装置を正しく特定することができる電子機器を実現することにある。
【課題を解決するための手段】
【００１４】
上記の課題を解決するために、本発明の一態様に係る電子機器は、プラグアンドプレイを実行するための通信規約を実装している第１の処理装置および第２の処理装置を備える電子機器であって、上記第１の処理装置、上記第２の処理装置、および上記電子機器の外部機器をそれぞれ相互に通信可能に接続する相互通信接続部と、上記第１の処理装置と上記第２の処理装置とを１対１に通信可能に接続する第１専用通信接続部と、を備え、上記第１の処理装置は、上記通信規約にて規定されている同報メッセージを、上記相互通信接続部ではなく、上記第１専用通信接続部を介して、上記第２の処理装置に対して送信する送信手段を備える。
【００１５】
また、上記の課題を解決するために、本発明の一態様に係る電子機器の制御方法は、プラグアンドプレイを実行するための通信規約を実装している第１の処理装置および第２の処理装置を備える電子機器の制御方法であって、上記第１の処理装置において、上記通信規約にて規定されており、上記第１の処理装置および第２の処理装置の間の接続を確立するための同報メッセージを、上記第１の処理装置、上記第２の処理装置、および上記電子機器の外部機器をそれぞれ相互に通信可能に接続する相互通信接続部ではなく、上記第１の処理装置と上記第２の処理装置とを１対１に通信可能に接続する第１専用通信接続部を介して、上記第２の処理装置に対して送信する送信ステップを含む。
【発明の効果】
【００１６】
本発明の一態様によれば、ＣＰＵ間通信における、プラグアンドプレイを実行するための通信規約にて規定されている同報メッセージの送受信を行う場合において、ＣＰＵ間通信を行う処理装置を正しく特定することができる電子機器を実現することができるという効果を奏する。
【図面の簡単な説明】
【００１７】
【図１】本発明の実施形態１に係るテレビの要部構成の一例を示すブロック図である。
【図２】図１に示すテレビにおいてＵＰｎＰを実現する各機能を階層的に示す図である。
【図３】図１に示すテレビが実行する機器発見処理の流れの一例を示すシーケンス図である。
【図４】本発明の実施形態２に係るテレビの要部構成の一例を示すブロック図である。
【図５】図４に示すテレビが実行する機器発見処理の流れの一例を示すシーケンス図である。
【図６】本発明の実施形態３に係るテレビの要部構成の一例を示すブロック図である。
【図７】本発明の実施形態４に係るテレビの要部構成の一例を示すブロック図である。
【図８】本発明の実施形態５に係るテレビの要部構成の一例を示すブロック図である。
【図９】図８に示すテレビが表示する表示画面の概略図である。
【図１０】従来技術の課題を示す模式図である。
【発明を実施するための形態】
【００１８】
以下、本発明の実施形態について、詳細に説明する。以下で説明する実施形態では、本発明の電子機器を、複数の処理装置を備えるテレビジョン受像機（以下、テレビと略称する）に適用した例を説明する。なお、適用例はテレビに限定されず、少なくとも第１の処理装置および第２の処理装置を備え、第１の処理装置と第２の処理装置との間で通信（説明の便宜上、以下、「ＣＰＵ間通信」と呼称する）を実行可能な電子機器であれば、本発明を適用可能である。また、説明の便宜上、各実施形態に示した部材と同一の機能を有する部材については、同一の符号を付し、適宜その説明を省略する。さらに、各図面に記載した構成の形状、並びに、長さ、大きさおよび幅などの寸法は、実際の形状や寸法を反映したものではなく、図面の明瞭化と簡略化のために適宜変更している。
【００１９】
〔実施形態１〕
本発明の一実施形態において、図１から図３に基づいて説明すれば以下のとおりである。
【００２０】
（テレビ１の機能概要）
まず、図１および図２を参照して、本発明に係る電子機器の機能概要について説明する。図１は、テレビ１の要部構成の一例を示すブロック図である。また、図２は、テレビ１において、ＵＰｎＰを実現する各機能を階層的に示す図である。なお、図１および図２において共通する部材番号を有する部材は同じ部材を示す。
【００２１】
本実施形態に係るテレビ１は、図１に示すように、プラグアンドプレイを実行するための通信規約を実装している入力処理装置１１および表示処理装置１２を備えるテレビであって、上記入力処理装置１１、表示処理装置１２、および上記テレビ１の外部機器をそれぞれ通信可能に接続するイーサネット接続部１３１、イーサネット信号切替部１１２、およびイーサネット端子部１１３と、上記入力処理装置１１と上記表示処理装置１２とを１対１に通信可能に接続するＵＡＲＴ接続部１３２と、を備え、入力処理装置１１は、上記通信規約にて規定されている同報メッセージを、上記イーサネット接続部１３１ではなく、上記ＵＡＲＴ接続部１３２を介して上記表示制御装置１２に対して送信する信号生成部１１１２を備える。
【００２２】
以下、「プラグアンドプレイ」とは、複数の機器の間で、ネットワークを介して、自動的に連携処理および設定を行って自動的に協調動作を行う技術のことを意味するものとする。プラグアンドプレイ技術の一例としては、ＵＰｎＰが挙げられる。ＵＰｎＰでは、ネットワークを介して接続されている機器（デバイス）を、別の機器（コントロールポイント）が検出する。そして、コントロールポイントに対して入力されたユーザ操作に従って、コントロールポイントが、デバイスを操作して、デバイスの機能を実行する。
【００２３】
具体的には、ＵＰｎＰの基礎であるＵＰｎＰ ＤＡ（Device Architecture）は、ＤＩＳＣＯＶＥＲＹ（機器発見）、ＡＣＴＩＯＮ（操作）、およびＥＶＥＮＴＩＮＧ（通知）などから構成される。
【００２４】
ＤＩＳＣＯＶＥＲＹは、ＵＰｎＰコントロールポイントが、ネットワーク上のＵＰｎＰデバイスを自動的に発見するために用いるメッセージである。この機器発見には、次の２種類の方法が用いられる。１つ目は、ＵＰｎＰコントロールポイントが、宛先としてＳＳＤＰ（Simple Service Discovery Protocol）で規定されるマルチキャストＩＰアドレスとポート番号に対して、Ｍ−ＳＥＡＲＣＨ（検索要求）をＨＴＴＰＭＵ (HTTP Multicast UDP)で送信し、それを受信したＵＰｎＰデバイスが応答を返すことで機器発見が行われる。２つ目は、ＵＰｎＰデバイスが、宛先としてＳＳＤＰで規定されるマルチキャストＩＰアドレスとポート番号に対して、ＮＯＴＩＦＹ（存在通知）をＨＴＴＰＭＵで送信し、それを受信したＵＰｎＰコントロールポイントによって機器発見が行われる。
【００２５】
図２に示すように、プラグアンドプレイを実行するための通信規約にて規定されている同報メッセージ（例えば、図２に示す検索要求信号）が、入力処理装置１１から表示処理装置１２に送信される。このとき、上記同報メッセージはＵＡＲＴ接続部１３２を介して表示処理装置１２に送信される。これにより、入力処理装置１１は、ＣＰＵ間通信の相手が表示処理装置１２であることを一意に特定することができる。
【００２６】
なお、本実施形態における「ＣＰＵ間通信」とは、コントロールポイントである処理装置が、情報の送受信を行う相手である処理装置（デバイス）を特定し、コントロールポイントおよびデバイスの間で接続を確立した後に行う情報の送受信を示す。すなわち本実施形態では、相手を特定するために行う情報の送受信（同報メッセージの送信）以外の情報の送受信を、「ＣＰＵ間通信」と呼称する。ＣＰＵ間通信で送信される情報としては、例えば、コントロールポイントがデバイスを操作するための信号（操作信号）や、デバイスからコントロールポイントに状態の通知を行うための信号（通知信号）などが挙げられる。
【００２７】
また、ＣＰＵ間通信を行う処理装置が特定された後、入力処理装置１１と表示処理装置１２との間のＣＰＵ間通信はイーサネット接続部１１３を介して行われる。
【００２８】
以下では、ＣＰＵ間通信として、ＡＣＴＩＯＮや、ＥＶＥＮＴＩＮＧが送受信される例について説明する。なお、ＡＣＴＩＯＮは、コントロールポイントがデバイスに対して具体的な操作を指示する場合に送信するメッセージである。また、ＥＶＥＮＴＩＮＧは、デバイスが、コントロールポイントに対して、各種の通知を行うために用いるメッセージである。ＡＣＴＩＯＮおよびＥＶＥＮＴＩＮＧは、コントロールポイントおよびデバイスの間で、ユニキャスト通信を用いて１対１で送受信されるものとする。
【００２９】
また、ＵＰｎＰの応用である ＵＰｎＰ ＤＣＰ(Device Control Protocol)は、ＵＰｎＰ ＤＡのＡＣＴＩＯＮや、ＥＶＥＮＴＩＮＧを具体的に定めたものである。上記ＤＣＰの例としては、MediaServerなどが存在する。MediaServerは、映像・音声をホームネットワークで視聴するためのＤＣＰである。また、リモコンのようにＴＶを操作するためのＤＣＰをベンダーが定義することもできる。
【００３０】
（テレビ１の構成）
次に、図１を参照して、テレビ１の要部構成について説明する。
【００３１】
図１に示すように、テレビ１は、入力処理装置１１（第１の処理装置）、表示処理装置１２（第２の処理装置）、接続部１３、表示部１５、およびタッチパネル１６を備える。
【００３２】
なお、入力処理装置１１および表示処理装置１２は、以下に説明する各種機能を実現するためのＬＳＩや、ＩＣチップを搭載した基板によって構成されていてよく、これらの基板が、接続部１３を介して接続されるような構成であってもよい。
【００３３】
また、図１に例示するように、入力処理装置１１はタッチパネル１６と接続されており、表示処理装置１２は表示部１５と接続されている。これらの接続方法は一例であり、入力処理装置１１とタッチパネル１６との接続方法、および、表示処理装置１２と表示部１５との接続方法は図１の例に限定されない。つまり、入力処理装置１１およびタッチパネル１６、並びに、表示処理装置１２および表示部１５は、固定的に接続されていてもよいし、着脱可能であってもよい。また、例えば、接続部１３を介してこれらを接続してもよい。
【００３４】
なお、以下では、入力処理装置１１およびタッチパネル１６、並びに、表示処理装置１２および表示部１５を、着脱可能に構成した例を挙げて説明している。
【００３５】
（入力処理装置１１）
入力処理装置１１は、図１に示すように、制御部１１１、イーサネット信号切替部１１２（相互通信接続部）、イーサネット端子部１１３（相互通信接続部）、およびタッチパネル制御部１１６を備える。入力処理装置１１は、ＵＰｎＰにおけるコントロールポイント（リモコンのようにＴＶを操作するためのＤＣＰに準拠したコントロールポイント）であり、後述する表示処理装置１２の入力制御を行うとともに、入力制御を行うためのＧＵＩ部品を提供する。具体的には、タッチパネル１６に対してなされた入力操作に応じた制御信号（ＡＣＴＩＯＮ等）を表示処理装置１２に送信することで、表示処理装置１２に制御信号に応じた所定の処理を実行させる。
【００３６】
制御部１１１は、入力処理装置１１が備える各部を統括制御するものである。制御部１１１は、検出制御部１１１１、信号生成部１１１２（生成手段、送信手段、信号生成手段、制御信号送信手段）、入力判定部１１１３、表示指示部１１１４を含む。
【００３７】
検出制御部１１１１は、プラグアンドプレイを実行するための通信規約（プロトコル）にて規定されている同報メッセージ（検索要求信号）が送信されることを検知するものである。具体的には、検出制御部１１１１は、入力処理装置１１が検索要求信号を送信する状態、換言すれば、コントロールポイントである入力処理装置１１が、制御対象のデバイスを発見できていない状態となったとき（例えば、入力処理装置１１が起動されたとき）、当該状態を検知して、検索要求信号の生成を、信号生成部１１１２に指示する。
【００３８】
また、検出制御部１１１１は、表示処理装置１２から、検索要求信号に対する応答信号を受信すると、入力処理装置１１と表示処理装置１２との間でＵＰｎＰを用いたＣＰＵ間通信が可能になったことを示す接続完了情報を、信号生成部１１１２および入力判定部１１１３に供給する。これにより、信号生成部１１１２および入力判定部１１１３は、表示処理装置１２との間でＵＰｎＰを用いたＣＰＵ間通信が可能となったことを認識することができる。
【００３９】
信号生成部１１１２は、ＵＰｎＰコントロールポイントの各メッセージに対応する信号を生成し、送信するものである。例えば、信号生成部１１１２は、同報メッセージ（検索要求信号）を、後述するＵＡＲＴ接続部１３２を介して、表示処理装置１２に対して送信する。具体的には、信号生成部１１１２は、検出制御部１１１１の指示を受けて、検索要求信号を生成する。この検索要求信号は、上述のとおり、ネットワークに参加している複数のデバイスに向けて送信され得るマルチキャストメッセージである。このため、信号生成部１１１２は、生成した検索要求信号を後述するＵＡＲＴ接続部１３２を介して送信される形式の信号に変換する。そして、変換した検索要求信号を後述するＵＡＲＴ接続部１３２を介して、表示処理装置１２に対して送信する。
【００４０】
また、信号生成部１１１２は、検出制御部１１１１から上記接続完了情報を供給されている場合、入力判定部１１１３の指示を受けて、指示に応じた信号を生成する。例えば、入力判定部１１１３の指示を受けて、チャンネルを変更するための操作信号（ＡＣＴＩＯＮ等）を生成し、後述するイーサネット接続部１３１を介して、表示処理装置１２に送信する。
【００４１】
入力判定部１１１３は、テレビ１におけるタッチパネル１６が受け付けた入力操作を判定するものである。具体的には、入力判定部１１１３は、タッチパネル１６が受け付けた入力操作における座標、指示体が接触していた時間、および接触した指示体の移動方向などに基づいて入力操作を特定する。そして、特定した入力操作に応じて、信号生成部１１１２に信号の生成を指示する。また、入力判定部１１１３は、特定した入力操作に応じて、表示指示部１１１４に画像の生成を指示する。なお、入力判定部１１１３が判定する入力操作は、タッチパネル１６が受け付けた入力操作に限定されない。例えば、図示しない入力部（例えば、リモコンやテレビ１の筐体に設けられたボタンなど）に対する入力操作を判定してもよい。
【００４２】
表示指示部１１１４は、テレビ１の表示部１５に表示される画像を指示するものである。具体的には、表示指示部１１１４は、入力判定部１１１３からの指示を受けて、表示部１５に表示されるリモコンを模したＧＵＩ部品を生成し、後述するＨＤＭＩ（登録商標）接続部１３３を介して、表示処理装置１２へ送信する。なお、上記ＧＵＩ部品は、タッチパネル１６へのタッチ操作を受け付けて、テレビ１を操作するものであり、ユーザは、上記リモコン画像を操作することで、テレビ１の機能（チャンネルの変更、音量の変更など）を実現することができる。
【００４３】
次に、イーサネット信号切替部１１２は、供給された信号の宛先に応じて、信号の送信先を切り替えるものである。具体的には、イーサネット信号切替部１１２は、供給された信号が表示処理装置１２に送信すべき信号である場合は、当該信号を後述するイーサネット接続部１３１を介して表示処理装置１２に送信する。一方、供給された信号が外部に送信すべき信号（例えば、インターネットによるサービスを利用するための信号）である場合、当該信号をイーサネット端子部１１３を介して外部に送信する。
【００４４】
また、イーサネット信号切替部１１２は、表示処理装置１２から受信した応答信号を、検出制御部１１１１に供給する。なお、イーサネット信号切替部１１２は、入力処理装置１１の内部に設けられたＬ２スイッチ（Internal L2 Switch）で実現されていてもよい。
【００４５】
イーサネット端子部１１３は、外部の機器とイーサネットによるネットワーク接続を行うためのインターフェースである。なお、イーサネット端子部１１３は、Ｌ２スイッチで実現されていてもよい。
【００４６】
最後に、タッチパネル制御部１１６は、タッチパネル１６から出力された座標、指示体が接触していた時間、および接触した指示体の移動方向などを受け取り、入力判定部１１１３に供給する。
【００４７】
（表示処理装置１２）
表示処理装置１２は、図１に示すように、制御部１２１、およびチューナー部１２３を備える。表示処理装置１２は、チューナー部１２３から受信されるテレビジョン放送信号を処理して得られた映像信号を含むテレビ画面を生成する機能を有する。表示処理装置１２は、図示しない入力部（例えば、リモコンまたはテレビ１の筐体に設けられたボタンなど）を介して入力されたユーザからの指示に従って、テレビ画面を生成したり、更新したりしてもよい。
【００４８】
なお、表示処理装置１２は、タッチパネル１６の入力制御を行う入力処理装置１１から送信される制御信号を受信し、受信した制御信号に応じて所定の処理を実行する構成である。すなわち、表示処理装置１２は、ＵＰｎＰにおけるデバイスである。
【００４９】
また、表示処理装置１２は、入力処理装置１１以外の、コントロールポイントとして動作する処理装置（例えば、パソコン、スマートフォン、タブレット端末など）からの制御信号を受信し、所定の処理を実行することができる構成であってもよい。
【００５０】
制御部１２１は、表示処理装置１２が備える各部を統括制御するものである。図１に示すように、制御部１２１は、信号判定部１２１１、信号生成部１２１２、表示制御部１２１３を含む。
【００５１】
信号判定部１２１１は、受信した信号がどのような信号であるかを判定するものである。具体的には、信号判定部１２１１は、受信した信号が入力処理装置１１から送信された検索要求信号であると判定すると、信号生成部１２１２に検索要求信号に対する応答信号の生成を指示する。また、信号判定部１２１１は、受信した信号がテレビ１の表示を制御するための信号であると判定すると、受信した信号を表示制御部１２１３に供給する。
【００５２】
信号生成部１２１２は、ＵＰｎＰデバイスの各メッセージに対応する信号を生成し、送信するものである。例えば、信号生成部１２１２は、入力処理装置１１に送信する信号を生成する。具体的には、信号生成部１２１２は、信号判定部１２１１から応答信号の生成指示を受けて、応答信号を生成する。そして、生成した応答信号を、後述するイーサネット接続部１３１を介して入力処理装置１１に送信する。
【００５３】
なお、信号生成部１２１２は、応答信号以外の信号を生成して、イーサネット接続部１３１を介して入力処理装置１１に送信してもよい。
【００５４】
表示制御部１２１３は、入力処理装置１１から供給された情報に応じて、表示部１５に表示する画像（映像）を決定するものである。具体的には、表示制御部１２１３は、入力処理装置１１から送信された制御信号を受信すると、当該制御信号の指示に応じた処理を実行する。例えば、入力処理装置１１からチャンネルの変更を示す制御信号を受信すると、チャンネルの変更処理を実行し、チューナー部１２３から受信した変更後の映像を表示部１５に表示させる。
【００５５】
チューナー部１２３は、テレビジョン放送信号を受信するためのものである。具体的には、チューナー部１２３は、選局を実施し、デジタル放送波から指定されたチャンネルのストリームを抽出する。そして、チューナー部１２３は、抽出したストリームを表示制御部１２１３に供給する。
【００５６】
（接続部１３）
次に、接続部１３は、イーサネット接続部１３１（相互通信接続部）、ＵＡＲＴ接続部１３２（第１専用通信接続部）、ＨＤＭＩ接続部１３３を備える。接続部１３は、表示処理装置１２が設けられたテレビ１の筐体に、入力処理装置１１を着脱可能に接続するためのものである。テレビ１の筐体と入力処理装置１１とが接続部１３を介して接続されることにより、入力処理装置１１と表示処理装置１２とが通信可能となり、本実施形態の電子機器としてのテレビ１が構成される。また、テレビ１の筐体に、別の入力処理装置を装着することも可能である。よって、例えば、入力処理装置１１を、入力処理装置１１と同等の機能を有するがＣＰＵの処理能力が異なる別の入力処理装置と交換することができる。これにより、例えば、テレビ１の構成要素のうち、入力処理装置の性能を単独で向上させることができる。なお、入力処理装置１１は、着脱式でなくてもよく、表示処理装置１２と入力処理装置１１とが固定的に接続されていてもよい。
【００５７】
ＵＡＲＴ接続部１３２は、入力処理装置１１および表示処理装置１２の間を１対１で接続するシリアルインターフェースである。ＵＡＲＴ接続部１３２は、入力処理装置１１から表示処理装置１２への同報メッセージの送信を行うために用いられる。具体的には、信号生成部１１１２が、ＵＡＲＴ接続部１３２を介して、入力処理装置１１から表示処理装置１２へ、ＵＰｎＰを実行するための通信規約（プロトコル）にて規定されている同報メッセージ（検索要求信号）を送信する。そして、検索要求信号に対する応答信号を、表示処理装置１２がイーサネット接続部１３１を介して入力処理装置１１へ送信することで、入力処理装置１１と表示処理装置１２との間で、ＵＰｎＰを用いたＣＰＵ間通信が可能となる。なお、以下では、入力処理装置１１および表示処理装置１２の間の１対１通信を実現するために、ＵＡＲＴを採用した例について説明するが、これには限られず、その他にも任意の接続形式の専用線を用いることができる。
【００５８】
イーサネット接続部１３１は、入力処理装置１１と表示処理装置１２との間のＣＰＵ間通信を、イーサネットを用いて行うための通信接続線である。具体的には、イーサネット接続部１３１は入力処理装置１１と表示処理装置１２との間でＵＰｎＰを用いたＣＰＵ間通信が可能となった後に、入力処理装置１１と表示処理装置１２との間で情報を送受信するための通信接続線である。一般的に、ＵＡＲＴの通信速度よりもイーサネットの通信速度のほうが高速である。イーサネット接続部１３１を介して情報の送受信を行うことで、ＵＡＲＴ接続部１３２を介して情報の送受信を行う場合に比べて、情報の伝送量および伝送速度が向上する。
【００５９】
また、イーサネット接続部１３１は、入力処理装置１１から表示処理装置１２に送信される検索要求信号に対する応答信号を、表示処理装置１２から入力処理装置１１へ送信するために用いられる。
【００６０】
なお、以下、イーサネットによりＣＰＵ間通信を実現する例について説明するが、これには限られない。ＣＰＵ間通信では、各処理装置を相互に接続することができる任意のネットワークを採用することができる。
【００６１】
ＨＤＭＩ接続部１３３は、入力処理装置１１から画像、映像および音声を表示処理装置１２に送信するためのケーブルである。
【００６２】
（表示部１５）
表示部１５は、テレビ１が処理する情報を画像（映像）として表示領域に表示する表示デバイスである。具体的には、表示部１５は、表示制御部１２１３がチューナー部１２３を介して取得したテレビジョン放送の映像や、入力処理装置１１からＨＤＭＩ接続部１３３を介して送信された画像や映像が表示される。表示部１５としては、例えばＬＣＤ（液晶ディスプレイ）などが挙げられる。
【００６３】
（タッチパネル１６）
タッチパネル１６は、ユーザによる入力操作を受け付ける入力デバイスである。具体的には、タッチパネル１６は、指示体（指またはペンなど）の接触（接近も含む）を受け付ける入力面と、指示体が入力面に接触したことを検知するとともに、入力面における指示体が接触した位置（座標）を検知するタッチセンサとで構成されている。タッチセンサは、指示体と入力面との接触／非接触を検知できればどのようなセンサで実現されていてもかまわない。例えば、圧力センサ、静電容量センサ、光センサなどで実現される。また、タッチパネル１６は検知した座標、指示体が接触していた時間、および接触した指示体の移動方向などをタッチパネル制御部１１６に出力する。
【００６４】
なお、本実施形態では表示部１５とタッチパネル１６とは一体となって形成されている。
【００６５】
（テレビ１の機器発見処理フロー）
続いて、図３を参照して、テレビ１が実行する機器発見処理の流れについて説明する。図３は、テレビ１が実行する機器発見処理の流れの一例を示すシーケンス図である。
【００６６】
まず、検出制御部１１１１は、検索要求信号を送信する状態を検知する（Ｓ１）。具体的には、検出制御部１１１１は、入力処理装置１１が起動されたことを検知し、検索要求信号の生成を、信号生成部１１１２に指示する。
【００６７】
次に、信号生成部１１１２は、検索要求信号をＵＡＲＴで送信する（Ｓ２、生成ステップおよび送信ステップ）。具体的には、信号生成部１１１２は、検出制御部１１１１の指示を受けて、検索要求信号を生成する。そして、生成した検索要求信号をＵＡＲＴ接続部１３２を介して送信される信号に変換し、変換した検索要求信号をＵＡＲＴ接続部１３２を介して、表示処理装置１２（信号判定部１２１１）に対して送信する。
【００６８】
次に、信号判定部１２１１は、検索要求信号をＵＡＲＴで受信する（Ｓ１１）。具体的には、信号判定部１２１１は、ＵＡＲＴ接続部１３２を介して信号を受信すると、受信した信号の内容を確認し、当該信号を検索要求信号であると判定する。そして、信号判定部１２１１は、信号生成部１２１２に対して検索要求信号に対する応答信号の生成を指示する。
【００６９】
次に、信号生成部１２１２は、応答をイーサネットで送信する（Ｓ１２）。具体的には、信号生成部１２１２は、信号判定部１２１１から応答信号の生成指示を受けて、応答信号を生成する。そして、生成した応答信号を、イーサネット接続部１３１を介して入力処理装置１１に送信する。
【００７０】
次に、入力処理装置１１は、応答をイーサネットを介して受信する（Ｓ３）。そして、イーサネット信号切替部１１２は、受信した応答信号を、検出制御部１１１１に供給する。
【００７１】
次に、検出制御部１１１１は、機器発見処理を完了させる（Ｓ４）。具体的には、検出制御部１１１１は、応答信号を供給されると、入力処理装置１１と表示処理装置１２との間でＵＰｎＰを用いたＣＰＵ間通信が可能になったことを示す接続完了情報を、信号生成部１１１２および入力判定部１１１３に供給する。これにより、入力処理装置１１と表示処理装置１２との間でのＣＰＵ間通信が、イーサネット接続部１３１を介して実行されるようになる。
【００７２】
その後、入力処理装置１１と表示処理装置１２とは、ＣＰＵ間通信をイーサネットで実行する（Ｓ５およびＳ１３）。例えば、信号生成部１１１２は、入力判定部１１１３の指示を受けて、チャンネルを変更するための制御信号を生成し、イーサネット接続部１３１を介して、表示処理装置１２（信号判定部１２１１）に送信する。そして、信号判定部１２１１は、受信した信号が、チャンネルを変更するための制御信号、すなわち、テレビ１の表示を制御するための信号であると判定すると、受信した信号を表示制御部１２１３に供給する。なお、表示処理装置１２から入力処理装置１１へ、イーサネット接続部１３１を介して信号が送信されてもよい。
【００７３】
最後に、入力処理装置１１および表示処理装置１２において、終了条件（例えば、図示しない電源部に対して、電源をＯＦＦする操作が実行されるなど）が満たされた場合（Ｓ４およびＳ１４でＹＥＳ）、処理は終了する。
【００７４】
（実施形態１に係る発明の作用効果）
以上のように、実施形態１に係るテレビ１は、プラグアンドプレイを実行するための通信規約にて規定されている検索要求信号を、入力処理装置１１から表示処理装置１２へ、ＵＡＲＴ接続部１３２を介して送信する。これにより、検索要求信号が表示処理装置１２以外のデバイスに送信されることが無いので、入力処理装置１１は、ＣＰＵ間通信の相手を正しく特定することができる。よって、受信した信号がテレビ１の表示を制御するための信号であると判定すると、受信した信号を表示制御部１２１３に供給する。
【００７５】
また、入力処理装置１１がＣＰＵ間通信の相手を特定した後は、入力処理装置１１と表示処理装置１２との間でのＣＰＵ間通信は、イーサネット接続部１３１を介して行われる。これにより、ＵＡＲＴ接続部１３２を介したＣＰＵ間通信に比べて、情報の伝送量および伝送速度が向上する。
【００７６】
また、ＣＰＵ間通信を行う処理装置を正しく特定して、ＵＰｎＰを用いたＣＰＵ間通信を実現することができるため、入力処理装置１１に表示処理装置１２を接続するだけでＣＰＵ間通信を実行することができる。すなわち、電子機器に対して別製品を接続するだけで、電子機器に新たな機能を付加することができる。
【００７７】
〔実施形態２〕
本発明の他の実施形態について、図４および図５に基づいて説明すれば、以下のとおりである。
【００７８】
（テレビ１０の構成）
図４は、本実施形態に係るテレビ１０の要部構成の一例を示すブロック図である。本実施形態に係るテレビ１０は、ＵＰｎＰにおけるデバイスである表示処理装置１４からコントロールポイントである入力処理装置１１に送信される同報メッセージ（存在通知信号）によって、入力処理装置１１がＣＰＵ間通信の相手を特定する構成である。
【００７９】
本実施形態に係る表示処理装置１４の制御部１４１は、実施形態１にて説明した表示処理装置１２の制御部１２１と異なり、新たに検出制御部１４１４を含む。また、制御部１４１は、実施形態１にて説明した信号判定部１２１１および信号生成部１２１２の代わりに、信号判定部１４１１および信号生成部１４１２を含む。
【００８０】
検出制御部１４１４は、プラグアンドプレイを実行するための通信規約（プロトコル）にて規定されている同報メッセージ（存在通知信号）が送信されることを検知するものである。具体的には、検出制御部１４１４は、表示処理装置１２が存在通知信号を送信する状態となったとき（例えば、表示処理装置１２が起動されたとき）、当該状態を検知して、存在通知信号の生成を、信号生成部１４１２に指示する。
【００８１】
信号生成部１４１２は、ＵＰｎＰデバイスの各メッセージに対応する信号を生成し、送信するものである。例えば、信号生成部１４１２は、同報メッセージ（存在通知信号）をＵＡＲＴ接続部１３２を介して、入力処理装置１１に対して送信するものである。具体的には、信号生成部１４１２は、検出制御部１４１４の指示を受けて、存在通知信号を生成する。この存在通知信号は、ネットワークに参加している複数のデバイスそれぞれに向けて送信されるマルチキャストメッセージである。このため、信号生成部１４１２は、生成した存在通知信号をＵＡＲＴ接続部１３２を介して送信される形式の信号に変換する。そして、変換した存在通知信号をＵＡＲＴ接続部１３２を介して入力処理装置１１に対して送信する。
【００８２】
また、信号生成部１４１２は、存在通知信号以外の信号を生成して、イーサネット接続部１３１を介して入力処理装置１１に送信してもよい。
【００８３】
信号判定部１４１１は、受信した信号がどのような信号であるかを判定するものである。例えば、信号判定部１２１１は、受信した信号がテレビ１の表示を制御するための信号であると判定すると、受信した信号を表示制御部１２１３に供給する。
【００８４】
（テレビ１０の機器発見処理フロー）
続いて、図５を参照して、テレビ１０が実行する機器発見処理の流れについて説明する。図５は、テレビ１０が実行する機器発見処理の流れの一例を示すシーケンス図である。
【００８５】
まず、検出制御部１４１４は、存在通知信号を送信する状態を検知する（Ｓ２１）。具体的には、検出制御部１４１４は、表示処理装置１２が起動されたことを検知し、存在通知信号の生成を、信号生成部１４１２に指示する。
【００８６】
次に、信号生成部１４１２は、存在通知信号をＵＡＲＴで送信する（Ｓ２２）。具体的には、信号生成部１４１２は、検出制御部１４１４の指示を受けて、存在通知信号を生成する。そして、生成した存在通知信号をＵＡＲＴ接続部１３２を介して送信される信号に変換し、変換した存在通知信号をＵＡＲＴ接続部１３２を介して、入力処理装置１１（検出制御部１１１１）に送信する。
【００８７】
次に、検出制御部１１１１は、存在通知信号をＵＡＲＴで受信する（Ｓ３１）。具体的には、検出制御部１１１１は、ＵＡＲＴ接続部１３２を介して存在通知信号を受信する。そして、検出制御部１１１１は、機器発見処理を完了させる（Ｓ３２）。具体的には、検出制御部１１１１は、存在通知信号を受信すると、入力処理装置１１と表示処理装置１２との間でＵＰｎＰを用いたＣＰＵ間通信が可能になったことを示す接続完了情報を、これにより、入力処理装置１１と表示処理装置１２との間でのＣＰＵ間通信が、イーサネット接続部１３１を介して実行されるようになる。
【００８８】
以降の処理は、実施形態１で説明した機器発見処理と同様の処理が実行されるため、ここでの説明を省略する。
【００８９】
（ＵＡＲＴ接続部を介した同報メッセージ送信の詳細）
次に、図２を参照して、本実施形態に係るＵＡＲＴ接続部１３２を介した同報メッセージ送信の詳細について説明する。上述したように、本実施形態に係るテレビ１は、同報メッセージをＵＡＲＴ接続部１３２を介して送信する。
【００９０】
仮に、上記同報メッセージの送信がイーサネット接続部１３１を介して行われるとすると、同報メッセージが外部にも送信される。これにより、表示処理装置１２以外のデバイスが検出されるため、入力処理装置１１はＣＰＵ間通信の相手を特定することができない。
【００９１】
そのため、本発明に係るテレビ１においては、図２に示すように、入力処理装置１１が同報メッセージを、ＵＡＲＴ接続部１３２を介して表示処理装置１２に送信する。ＵＡＲＴは、入力処理装置１１と表示処理装置１２とを１対１に通信可能に接続するため、同報メッセージが外部に送信されることはない。よって、入力処理装置１１はＣＰＵ間通信の相手を一意に特定することができる。
【００９２】
ここで、ＵＰｎＰのプロトコルを実行するアプリケーションが、デフォルトの状態では、イーサネットによりメッセージを送受信に設定されている場合において、同報メッセージのみをＵＡＲＴ経由で送信し、その他のＣＰＵ間通信をイーサネット経由で行うには、いくつか方法がある。その方法について、以下では、（１）〜（３）の３つを例示的に説明する。
【００９３】
（１）まず、図２に示すように、本実施形態に係るテレビ１において、入力処理装置１１が備える信号生成部１１１２は、コントロールポイントと、カーネル１００とを含む構成である。また、表示処理装置１２が備える信号生成部１２１２は、デバイスと、カーネル２００とを含む構成である。コントロールポイントおよびデバイスは、ＵＰｎＰの機能の一部であり、ＵＰｎＰ ＤＣＰを実装するアプリケーションである。カーネル１００、２００は、それぞれ、入力処理装置１１，表示処理装置１２に搭載されるオペレーティングシステムの中核機能を担うブロックである。
【００９４】
ここで、コントロールポイントまたはデバイスから送信されるメッセージは、各処理装置に搭載されるオペレーティングシステムのカーネルを経由する。以下、主としてコントロールポイントについて説明する（デバイスに関する説明は、括弧書きにて記載する）。
【００９５】
このため、コントロールポイント（デバイス）からHTTP Multicast User Datagram Protocol（HTTP MU）により送信される同報メッセージを、カーネル１００（２００）のメッセージフィルタリング機能によって抽出し、抽出した同報メッセージをＵＡＲＴ１１５（１２５）経由で送信するように構成してもよい。また、同報メッセージ以外のメッセージ（ＡＣＴＩＯＮ等）については、イーサネット１１４（１２４）を経由するように構成すればよい。これにより、既存の処理装置においてアプリケーションを変更することなく、同報メッセージをＵＡＲＴを介して送信することができる。
【００９６】
（２）ＵＰｎＰのプロトコルを実行するアプリケーションのソースプログラムは、当該アプリケーションを供給するベンダー側から提供されていない場合が多い。一方で、アプリケーションの各機能モジュール単位で、開発者がカスタマイズした機能モジュールをオリジナルの機能モジュールと差し替えることができるようになっている場合もある。このような場合は、次のように、Ｍ−ＳＥＡＲＣＨ（ＮＯＴＩＦＹ）を送信する機能モジュールを開発者側で準備すればよい。すなわち、ＵＡＲＴ接続部１３２を経由してＭ−ＳＥＡＲＣＨ（ＮＯＴＩＦＹ）を送信する機能モジュールを準備する。そして、オリジナルの機能モジュールを、カスタマイズした機能モジュールに差し替えればよい。
【００９７】
（３）ソースプログラムが提供されている場合は、Ｍ−ＳＥＡＲＣＨ（ＮＯＴＩＦＹ）を送信する機能に対応するソースプログラムにおいて、Ｍ−ＳＥＡＲＣＨ（ＮＯＴＩＦＹ）がＵＡＲＴ接続部１３２を経由して送信されるよう修正を施せばよい。
【００９８】
（実施形態１および２に関する変形例１）
上述した実施形態１では、検索要求信号のみによって機器発見処理が実行される構成であった。また、実施形態２では、存在通知信号のみによって機器発見処理が実行される構成であった。
【００９９】
しかしながら、本発明に係る電子機器は、検索要求信号によって機器発見処理を実行する機能、および、存在通知信号によって機器発見処理を実行する機能の両方を備えていてもよい。具体的には、ユーザの操作に応じて検索要求信号または存在通知信号を送信する構成であってもよい。本変形例に係るテレビ（不図示）は、例えば、図１に示す入力処理装置１１、図４に示す表示処理装置１４、および接続部１３を備える。
【０１００】
なお、本変形例にて説明した構成は、後述する実施形態３および４においても適用可能である。
【０１０１】
〔実施形態３〕
本発明のさらに別の実施形態について、図６に基づいて説明すれば、以下のとおりである。
【０１０２】
（テレビ２の構成）
図６は、本実施形態に係るテレビ２の要部構成の一例を示すブロック図である。本実施形態に係るテレビ２は、放送表示処理装置２１（第１の処理装置、制御局、入力／表示処理装置）、放送録画処理装置２２（第２の処理装置、内部機器、録画／再生処理装置）、および接続部１３を備える。なお、実施形態３に係るテレビ２は、検索要求信号を放送表示処理装置２１から放送録画処理装置２２へ送信することでＣＰＵ間通信の相手を特定するものとして説明するが、存在通知信号を放送録画処理装置２２から放送表示処理装置２１へ送信することでＣＰＵ間通信の相手を特定するものであってもよい。
【０１０３】
（放送表示処理装置２１）
放送表示処理装置２１は、図６に示すように、入力部２１１、制御部２１２、表示部２１３、イーサネット信号切替部２１４、イーサネット端子部２１５、ＨＤＭＩ信号切替部２１６、ＨＤＭＩ端子部２１７、およびチューナー部２１８を備える。放送表示処理装置２１は、ＵＰｎＰにおけるコントロールポイントであり、入力部２１１を介して入力された入力操作に応じて、チューナー部２１８から受信されるテレビジョン放送信号を処理して得られた映像信号を含むテレビ画面を生成する機能を有する。すなわち、放送表示処理装置２１は単体でもテレビとして機能するものである。
【０１０４】
入力部２１１は、ユーザからの入力を受け付ける入力デバイスであり、例えば、テレビ２のリモコンからの信号を受け付けるリモコン信号受信部や、テレビ２の筐体に設けられたボタンなどである。また、入力部２１１はタッチパネルであってもよく、その場合は入力部２１１と表示部２１３とは一体となる。
【０１０５】
制御部２１２は、放送表示処理装置２１が備える各部を統括制御するものである。図６に示すように、制御部２１２は、検出制御部２１２１（検知手段、通信確認手段）、信号生成部２１２２（送信手段、信号生成手段、制御信号送信手段）、入力判定部２１２３、および表示制御部２１２４を含む。
【０１０６】
入力判定部２１２３は、テレビ１が入力部２１１を介して受け付けた入力操作を判定するものである。具体的には、入力判定部２１２３は、入力部２１１が受け付けた入力操作を判定し、特定する。そして、特定した入力操作に応じた処理を実行するよう、制御部２１２の各部に指示する。例えば、入力判定部２１２３は、チャンネルを変更するための入力操作を特定すると、チャンネルを変更するため処理を実行するよう、表示制御部２１２４に指示する。
【０１０７】
また例えば、入力判定部２１２３は、放送録画処理装置２２に対する処理を実行するための入力操作を特定すると、当該処理を実行するための制御信号の生成を信号生成部２１２２に指示する。
【０１０８】
検出制御部２１２１は、プラグアンドプレイを実行するための通信規約（プロトコル）にて規定されている同報メッセージ（検索要求信号）が送信されることを検知するものである。具体的には、検出制御部２１２１は、放送表示処理装置２１が検索要求信号を送信する状態、換言すれば、コントロールポイントである放送表示処理装置２１が、制御対象のデバイスを発見できていない状態となったとき（例えば、放送表示処理装置２１が起動されたとき）、当該状態を検知して、検索要求信号の生成を、信号生成部２１２２に指示する。
【０１０９】
また、検出制御部２１２１は、放送録画処理装置２２から、検索要求信号に対する応答信号を受信すると、放送表示処理装置２１と放送録画処理装置２２との間でＵＰｎＰを用いたＣＰＵ間通信が可能になったことを示す接続完了情報を、信号生成部２１２２および入力判定部２１２３に供給する。これにより、信号生成部２１２２および入力判定部２１２３は、放送録画処理装置２２との間でＵＰｎＰを用いたＣＰＵ間通信が可能となったことを認識することができる。
【０１１０】
信号生成部２１２２は、ＵＰｎＰコントロールポイントの各メッセ―ジに対応する信号を生成し、送信するものである。同報メッセージ（検索要求信号）をＵＡＲＴ接続部１３２を介して、放送録画処理装置２２に対して送信する。具体的には、信号生成部２１２２は、検出制御部２１２１の指示を受けて、マルチキャストメッセージである検索要求信号を生成する。このため、信号生成部２１２２は、生成した検索要求信号をＵＡＲＴ接続部１３２を介して送信される形式の信号に変換する。そして、変換した検索要求信号をＵＡＲＴ接続部１３２を介して、放送録画処理装置２２に対して送信する。
【０１１１】
また、信号生成部２１２２は、検出制御部２１２１から上記接続完了情報を供給されている場合、入力判定部２１２３の指示を受けて、指示に応じた信号を生成する。例えば、入力判定部２１２３の指示を受けて、録画を開始するための制御信号を生成し、イーサネット接続部１３１を介して、放送録画処理装置２２に送信する。
【０１１２】
表示制御部２１２４は、入力判定部２１２３からの指示に応じて、表示部２１３に表示する画像（映像）を決定するものである。具体的には、表示制御部２１２４は、入力判定部２１２３からの指示を受けて、当該指示に応じた処理を実行する。例えば、入力判定部２１２３からチャンネルの変更を示す指示を受けると、チャンネルの変更処理を実行し、チューナー部２１８から受信した変更後の映像を表示部２１３に表示させる。
【０１１３】
また、表示制御部２１２４は、放送録画処理装置２２から、ＨＤＭＩ接続部１３３を介して受信した映像および音声を、表示部２１３に表示させる。例えば、放送録画処理装置からＨＤＭＩ接続部１３３を介して受信したテレビジョン放送の録画映像および音声を、表示部２１３に表示させる。
【０１１４】
次に、表示部２１３は、表示制御部２１２４によって処理された情報が表示される。例えば、表示部２１３には、表示制御部２１２４がチューナー部２１８を介して取得したテレビジョン放送の映像や、放送録画処理装置２２からＨＤＭＩ接続部１３３を介して送信されたテレビジョン放送の録画映像が表示される。表示部２１３としては、例えばＬＣＤ（液晶ディスプレイ）などが挙げられる。
【０１１５】
次に、イーサネット信号切替部２１４は、供給された信号の送信先を決定するものである。具体的には、イーサネット信号切替部２１４は、供給された信号が放送録画処理装置２２に送信すべき信号である場合は、当該信号をイーサネット接続部１３１を介して放送録画処理装置２２に送信する。一方、供給された信号が外部に送信すべき信号（例えば、インターネットによるサービスを利用するための信号）である場合、当該信号をイーサネット端子部２１５を介して外部に送信する。
【０１１６】
また、イーサネット信号切替部２１４は、放送録画処理装置２２から受信した応答信号を、検出制御部２１２１に供給する。
【０１１７】
次に、ＨＤＭＩ信号切替部２１６は、供給された映像や音声の送信先を決定するものである。具体的には、ＨＤＭＩ信号切替部２１６は、供給された映像や音声が放送表示処理装置２１にて処理すべきものである場合は、当該映像や音声を表示制御部２１２４に出力する。一方、供給された映像や音声が外部に送信すべきものである場合は、当該映像や音声をＨＤＭＩ端子部２１７を介して外部に送信する。
【０１１８】
最後に、チューナー部２１８は、実施形態１で説明したチューナー部１２３と同様であるため、その説明を省略する。
【０１１９】
（放送録画処理装置２２）
放送録画処理装置２２は、図６に示すように、制御部２２１、記憶部２２２、イーサネット信号切替部２２３、イーサネット端子部２２４、ＨＤＭＩ信号切替部２２５、ＨＤＭＩ端子部２２６、およびチューナー部２２７を備える。放送録画処理装置２２は、テレビジョン放送を録画し、放送表示処理装置２１に送信することで再生する録画／再生装置である。また、放送録画処理装置２２は、ＵＰｎＰにおけるデバイスであり、放送表示処理装置２１から送信される制御信号を受信し、受信した制御信号に応じて所定の処理を実行する構成である。
【０１２０】
なお、放送録画処理装置２２は、所定の処理を実行するための入力を受け付ける入力部（不図示）を備えていてもよい。この場合、放送録画処理装置２２は、一般的なテレビに接続しても、録画／再生装置の各種機能を実行することができる。
【０１２１】
制御部２２１は、放送録画処理装置２２が備える各部を統括制御するものである。図６に示すように、制御部２２１は、信号判定部２２１１、信号生成部２２１２、および、録画制御部２２１３を含む。
【０１２２】
信号判定部２２１１は、受信した信号がどのような信号であるかを判定するものである。具体的には、信号判定部２２１１は、受信した信号が放送表示処理装置２１から送信された検索要求信号であると判定すると、信号生成部２２１２に検索要求信号に対する応答信号の生成を指示する。また、信号判定部２２１１は、受信した信号がテレビジョン放送を録画する録画処理、または、録画したテレビジョン放送を再生する再生処理を実行するための信号であると判定すると、受信した信号を録画制御部２２１３に供給する。
【０１２３】
信号生成部２２１２は、ＵＰｎＰデバイスの各メッセ―ジに対応する信号を生成し、送信するものである。例えば、信号生成部２２１２は、放送表示処理装置２１に送信する信号を生成する。信号生成部２２１２は、信号判定部２２１１から応答信号の生成指示を受けて、応答信号を生成する。そして、生成した応答信号を、イーサネット接続部１３１を介して放送表示処理装置２１に送信する。
【０１２４】
なお、信号生成部２２１２は、応答信号以外の信号を生成して、イーサネット接続部１３１を介して放送表示処理装置２１に送信してもよい。
【０１２５】
録画制御部２２１３は、放送表示処理装置２１から供給された情報に応じて、録画処理または再生処理を実行するものである。具体的には、録画制御部２２１３は、放送表示処理装置２１から送信された制御信号（ＡＣＴＩＯＮ等）を受信すると、当該制御信号の指示に応じた処理を実行する。例えば、放送表示処理装置２１からテレビジョン放送の録画処理の実行を示す制御信号を受信すると、テレビジョン放送を記憶部２２２に記憶（録画）する。また、放送表示処理装置２１から録画したテレビジョン放送の再生処理の実行を示す制御信号を受信すると、記憶部２２２から指定されたテレビジョン放送の録画映像および音声を読み出し、読み出した録画映像および音声を、ＨＤＭＩ接続部１３３を介して放送表示処理装置２１に送信する。
【０１２６】
記憶部２２２は、テレビジョン放送の映像および音声を記憶する記憶デバイスである。具体的には、録画制御部２２１３がチューナー部２２７から受信したテレビジョン放送の映像および音声が、記憶部２２２に記憶される。
【０１２７】
イーサネット信号切替部２２３は、供給された信号の送信先を決定するものである。具体的には、イーサネット信号切替部２２３は、供給された信号が放送表示処理装置２１に送信すべき信号である場合は、当該信号をイーサネット接続部１３１を介して放送表示処理装置２１に送信する。一方、供給された信号が外部に送信すべき信号（例えば、インターネットによるサービスを利用するための信号）である場合、当該信号をイーサネット端子部２２４を介して外部に送信する。
【０１２８】
ＨＤＭＩ信号切替部２２５は、供給された映像や音声の送信先を決定するものである。具体的には、ＨＤＭＩ信号切替部２２５は、供給された映像や音声が放送表示処理装置２１に送信すべきものである場合は、当該映像や音声を放送表示処理装置２１に送信する。一方、供給された映像や音声が外部に送信すべきものである場合は、当該映像や音声をＨＤＭＩ端子部２２６を介して外部に送信する。
【０１２９】
最後に、チューナー部２２７は、実施形態１で説明したチューナー部１２３と同様であるため、その説明を省略する。なお、放送録画処理装置２２にもチューナー部２２７を設けることにおり、放送録画処理装置２２を独立化できる。もちろん、放送表示処理装置２１のチューナー部２１８からの信号を、放送録画処理装置２２へ入力するようにしてもよい。
【０１３０】
（接続部１３）
接続部１３は、放送表示処理装置２１が設けられたテレビ２の筐体に、放送録画処理装置２２を着脱可能に接続するためのものであるということ以外は、実施形態１で説明した接続部１３と同様であるため、その説明を省略する。
【０１３１】
〔実施形態４〕
本発明のさらに別の実施形態について、図７に基づいて説明すれば、以下のとおりである。
【０１３２】
（テレビ３の構成）
図７は、本実施形態に係るテレビ３の要部構成の一例を示すブロック図である。本実施形態に係るテレビ３は、入力処理装置３１（第１の処理装置）、表示処理装置３２、通話処理装置３３（第３の処理装置）、接続部１３、接続部３４、表示部３５、およびタッチパネル３６を備える。すなわち、本実施形態に係るテレビ３は、処理装置を３つ備える構成である。なお、表示部３５およびタッチパネル３６は、実施形態１にて説明した表示部１５およびタッチパネル１６と同様であるため、その説明を省略する。
【０１３３】
なお、実施形態４に係るテレビ３は、検索要求信号を入力処理装置３１から、表示処理装置３２または通話処理装置３３へ送信することでＣＰＵ間通信の相手を特定するものとして説明するが、存在通知信号を表示処理装置３２または通話処理装置３３から入力処理装置３１へ送信することでＣＰＵ間通信の相手を特定するものであってもよい。
【０１３４】
（入力処理装置３１）
入力処理装置３１は、図７に示すように、制御部３１１、イーサネット信号切替部３１２、イーサネット端子部３１３、およびタッチパネル制御部３１４を備える。入力処理装置３１は、実施形態１で説明した入力処理装置１１と同様に、ＵＰｎＰにおけるコントロールポイントであり、後述するタッチパネル３６の入力制御を行う。
【０１３５】
制御部３１１は、入力処理装置３１が備える各部を統括制御するものである。制御部３１１は、検出制御部３１１１、信号生成部３１１２（第２送信手段）、入力判定部３１１３、表示指示部３１１４、および送信先判定部３１１５を含む。
【０１３６】
検出制御部３１１１は、実施形態１にて説明した検出制御部１１１１と異なり、表示処理装置３２に送信する検索要求信号の生成と、通話処理装置３３に送信する検索要求信号の生成とを信号生成部３１１２に指示する。その他の機能については、実施形態１にて説明した検出制御部１１１１と同様である。
【０１３７】
信号生成部３１１２は、実施形態１にて説明した信号生成部１１１２と異なり、２つのＵＡＲＴチャンネルを有している。信号生成部３１１２は、同報メッセージを送信すべき宛先に応じて、ＵＡＲＴチャンネルを切り替える。信号生成部３１１２は、表示処理装置３２に送信する検索要求信号を、ＵＡＲＴ接続部１３２を介して送信する（ＣＨ１）。また、通話処理装置３３に送信する検索要求信号を、ＵＡＲＴ接続部１８２（第２専用通信接続部）を介して送信する（ＣＨ２）。さらに、送信先判定部３１１５から供給された判定結果および信号の生成指示に基づいて信号（ＡＣＴＩＯＮ等）を生成し、送信先を示す情報を対応付けた信号をイーサネット信号切替部３１２に出力する。その他の機能については、実施形態１にて説明した信号生成部１１１２と同様である。
【０１３８】
入力判定部３１１３は、実施形態１にて説明した入力判定部１１１３と異なり、特定した入力操作に応じた信号の生成指示を、送信先判定部３１１５に供給する。その他の機能については、実施形態１にて説明した入力判定部１１１３と同様である。
【０１３９】
送信先判定部３１１５は、入力判定部１１１３から供給された信号の生成指示を判定するものである。具体的には、入力判定部１１１３から供給された信号の生成指示が表示処理装置３２に送信すべき信号の生成指示であるか、または、通話処理装置３３に送信すべき信号の生成指示であるかを判定し、判定結果とともに信号の生成指示を信号生成部３１１２に供給する。
【０１４０】
表示指示部３１１４は、実施形態１にて説明した信号生成部１１１２と同様であるため、その説明を省略する。
【０１４１】
次に、イーサネット信号切替部３１２は、実施形態１にて説明したイーサネット信号切替部１１２と異なり、信号生成部３１１２から供給された信号に対応付けられた送信先を示す情報に応じて、供給された信号を表示処理装置３２に送信するか、または、通話処理装置３３に送信するかを決定し、送信する。また、通話処理装置３３に信号を送信する場合は、イーサネット接続部１８１を介して送信する。その他の機能は、実施形態１にて説明したイーサネット信号切替部１１２と同様である。
【０１４２】
イーサネット端子部３１３およびタッチパネル制御部３１４は、実施形態１にて説明したイーサネット端子部１１３およびタッチパネル制御部１１６とそれぞれ同様であるため、その説明を省略する。
【０１４３】
（表示処理装置３２）
表示処理装置３２は、実施形態１にて説明した表示処理装置１２と同じものであり、ＵＰｎＰにおけるデバイスである。表示処理装置３２は、図７に示すように制御部３２１、およびチューナー部３２３を備える。なお表示処理装置３２が備える各部材は、表示処理装置１２が備える部材と同様であるため、その説明を省略する。
【０１４４】
（通話処理装置３３）
通話処理装置３３は、ＵＰｎＰにおけるデバイスであり、他のユーザと通話するための装置である。すなわち、通話処理装置３３は、テレビ３を用いて電話の機能を実行するための装置である。通話処理装置３３は、表示処理装置３２と同様に、タッチパネル３６の入力制御を行う入力処理装置１１から送信される制御信号を受信し、受信した制御信号に応じて所定の処理を実行する構成である。
【０１４５】
通話処理装置３３は、信号判定部３３１、信号生成部３３２、および通話処理部３３３を備える。
【０１４６】
信号判定部３３１は、受信した信号がどのような信号であるかを判定するものである。具体的には、信号判定部３３１は、受信した信号が入力処理装置３１から送信された検索要求信号であると判定すると、信号生成部３３２に検索要求信号に対する応答信号の生成を指示する。受信した信号がテレビ３を用いたテレビ電話の機能を制御するための信号（ＡＣＴＩＯＮ等）であると判定すると、受信した信号を通話処理部３３３に供給する。
【０１４７】
信号生成部３３２は、実施形態１にて説明した信号生成部１２１２と異なり、生成した応答信号をイーサネット接続部１８１を介して入力処理装置３１に送信する。その他の機能は、実施形態１にて説明した信号生成部１２１２と同様である。
【０１４８】
通話処理部３３３は、テレビ３を用いたテレビ電話を実行するための処理を行うものである。具体的には、通話処理部３３３は、入力処理装置３１から送信された制御信号を供給されると、供給された制御信号に応じた処理を実行する。例えば、ユーザの入力操作によって指定された電話番号に電話をかける処理を実行する。
【０１４９】
なお、入力処理装置１１は、他のユーザとの通話を実行するためのＧＵＩ部品を表示処理装置３２に表示させてもよい。例えば、表示制御部３２１３は、表示指示部３１１４の指示を受けて、表示部１５に電話のプッシュボタンを模したＧＵＩ部品を表示してもよい。この場合、入力処理装置１１は、プッシュボタンを模したＧＵＩ部品に対する入力操作（例えば、電話番号を入力する操作）に基づいた制御信号（ＡＣＴＩＯＮ等）を生成し、通話処理装置３３に生成した制御信号を送信する。
【０１５０】
（接続部１３および接続部３４）
接続部１３は、実施形態１で説明した接続部１３と同様であるため、その説明を省略する。
【０１５１】
また、接続部３４は、イーサネット接続部１８１およびＵＡＲＴ接続部１８２を備える。なお、接続部３４は、入力処理装置３１と通話処理装置３３とを着脱可能に接続するためのものであるということ、および、ＨＤＭＩ接続部１３３を備えないということ以外は、接続部１３と同様である。すなわち、イーサネット接続部１８１はイーサネット接続部１３１と同様の構成であり、ＵＡＲＴ接続部１８２はＵＡＲＴ接続部１３２と同様の構成である。そのため、詳細な説明を省略する。
【０１５２】
〔実施形態５〕
本発明のさらに別の実施形態について、図８および図９に基づいて説明すれば、以下のとおりである。
【０１５３】
（テレビ４の構成）
図８は、本実施形態に係るテレビ４の要部構成の一例を示すブロック図である。本実施形態に係るテレビ４は、表示処理装置１２が、複数のコントロールポイントから送信される制御信号（ＡＣＴＩＯＮ等）によって制御される構成である。すなわち、本実施形態におけるテレビ４は、入力処理装置１１だけでなく、外部機器６からも表示処理装置１２の機能を利用することができる構成である。すなわち、本実施形態では、入力処理装置１１および外部機器６が表示処理装置１２に検索要求信号を送信して、表示処理装置１２から応答信号を受信する構成として説明する。しかしながら、これに限られず、表示処理装置１２から送信される存在通知信号を、入力処理装置１１および外部機器６が受信する構成であってもよい。なお、外部機器６としては、例えば、スマートフォンやタブレット端末などが挙げられる。
【０１５４】
イーサネット端子部１１３は、アクセスポイント５と接続されており、外部機器６は、アクセスポイント５を介して制御信号をテレビ４に送信する。
【０１５５】
また、外部機器６は、入力処理装置１１と異なり、イーサネット端子部１１３、イーサネット信号切替部１１２、およびイーサネット接続部１３１を介して、表示処理装置１２に検索要求信号を送信する。なお、表示処理装置１２から外部機器６に対して存在通知信号を送信する場合も、同様に、存在通知信号は、イーサネット（イーサネット接続部１３１、イーサネット信号切り替え部１１２、イーサネット端子部１１３）を経由して送信される。
【０１５６】
さらに、外部機器６は、イーサネット端子部１１３、イーサネット信号切替部１１２、およびイーサネット接続部１３１を介して制御信号（ＡＣＴＩＯＮ等）を表示処理装置１２に送信する。制御信号を受信した信号判定部１２１１は、当該制御信号を判定し、受信した信号を表示制御部１２１３に供給する。また、表示制御部１２１３は、制御信号に応じた表示処理を実行する。図８では、外部機器６からの制御信号に関する制御の流れを、入力処理装置１１のものとは区別し点線で示している。
【０１５７】
以上のように、表示処理装置１２は、ＵＡＲＴ接続部１３２を介して接続される入力処理装置１１から送信される検索要求信号により入力処理装置１１との接続を確立する一方で、イーサネット接続部１３１、イーサネット信号切り替え部１１２、イーサネット端子部１１３を介して接続される外部機器６から送信される検索要求信号により外部機器６との接続を確立することができる。なお、表示処理装置１２が入力処理装置１１との接続を確立し、入力処理装置１１が外部機器６との接続を確立するように構成することも可能である。この場合、コントロールポイントとしての入力処理装置１１が、外部機器６に検索要求信号を送信することによって、入力処理装置１１と外部機器６との接続が確立される。
【０１５８】
なお、外部機器６は、イーサネットを用いて表示処理装置１２に検索要求信号を送信するため、表示処理装置１２を含む複数のデバイスに検索要求信号が送信される可能性がある。このため、複数のデバイスが検出される場合が想定される。この場合、外部機器６は、検出された複数のデバイスから、ユーザの操作に応じて、ＣＰＵ間通信を実行するデバイスを選択すればよい。
【０１５９】
図９は、テレビ４が表示する表示画面の概略図である。外部機器６からの制御信号を受信する前は、図９の（ａ）に示すように、表示部１５にはテレビジョン放送信号を処理して得られた映像信号を含む映像Ａと、入力処理装置１１からの制御信号によって表示されるＧＵＩ部品（例えばリモコンを模したＧＵＩ部品）を含む映像Ｂとが表示されている。
【０１６０】
ここで、外部機器６からの制御信号を受信すると、表示部１５に表示される映像は、図９の（ｂ）に示すような映像に変化する。すなわち、上記映像Ａおよび映像Ｂに加えて、外部機器６からの制御信号によって表示されるＧＵＩ部品（例えばＳＮＳへ投稿するためのＧＵＩ部品）が表示される。
【０１６１】
なお、本実施形態では、映像Ｂが表示されていた領域の一部に映像Ｃが新たに表示される例を説明したが、映像の配置はこの例に限定されるものではない。例えば、映像Ａが表示されていた領域の一部に映像Ｃが新たに表示されてもよいし、映像Ｂに代わり映像Ｃが表示されてもよい。
【０１６２】
〔ソフトウェアによる実現例〕
入力処理装置１１、表示処理装置１２、表示処理装置１４、放送表示処理装置２１、放送録画処理装置２２、入力処理装置３１、表示処理装置３２の制御ブロックは、集積回路（ＩＣチップ）等に形成された論理回路（ハードウェア）によって実現してもよいし、ＣＰＵ（Central Processing Unit）（あるいは、ＭＰＵ（Micro Processing Unit））を用いてソフトウェアによって実現してもよい。
【０１６３】
後者の場合、上述した各装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１６４】
〔まとめ〕
本発明の態様１に係る電子機器（テレビ１）は、プラグアンドプレイを実行するための通信規約を実装している第１の処理装置（入力処理装置１１）および第２の処理装置（表示処理装置１２）を備える電子機器であって、上記第１の処理装置、上記第２の処理装置、および上記電子機器の外部機器（６）をそれぞれ相互に通信可能に接続する相互通信接続部（イーサネット接続部１３１、イーサネット信号切替部１１２、およびイーサネット端子部１１３）と、上記第１の処理装置と上記第２の処理装置とを１対１に通信可能に接続する第１専用通信接続部（ＵＡＲＴ接続部１３２）と、を備え、上記通信規約にて規定されており、上記第１の処理装置および第２の処理装置の間の接続を確立するための同報メッセージを、上記相互通信接続部ではなく、上記第１専用通信接続部を介して、上記第２の処理装置に対して送信する送信手段（信号生成部１１１２）を備える。
【０１６５】
上記の構成によれば、電子機器は２つの処理装置を備えており、これら２つの処理装置はプラグアンドプレイを実行するための通信規約を実装している。すなわち、第１の処理装置が、上記通信規約にて規定されている同報メッセージを第２の処理装置に送信することで、第１の処理装置と第２の処理装置との間でプラグアンドプレイを実行することによって確立した通信接続を用いて情報の送受信（以下、ＣＰＵ間通信と呼称する）が可能となる。
【０１６６】
ここで、第１の処理装置は、第１の処理装置と第２の処理装置とを１対１に通信可能に接続する第１専用通信接続部を介して、上記同報メッセージを第２の処理装置に送信する。これにより、同報メッセージが、第１専用通信接続部によって第１の処理装置に接続されている第２の処理装置のみに送信される。
【０１６７】
例えば、同報メッセージがネットワークに参加する複数の機器に向けて送信されるマルチキャストメッセージである場合であっても、同報メッセージは第２の処理装置のみに送信されることとなる。
【０１６８】
よって、第１の処理装置は、ＣＰＵ間通信を行う相手を特定することができる。以上より、ＣＰＵ間通信における、ＵＰｎＰのＭ−ＳＥＡＲＣＨおよびＮＯＴＩＦＹなどのマルチキャストメッセージの送受信を行う場合において、ＣＰＵ間通信を行う処理装置を正しく特定することができる電子機器を実現することができる。なお、ＣＰＵ間通信には、ＵＰｎＰ以外のプロトコルを採用することができ、例えば、機器発見にマルチキャストメッセージを使用するようなプロトコル（例えば、ECHONETLite（登録商標）など）を用いることができる。
【０１６９】
本発明の態様２に係る電子機器は、上記態様１において、上記同報メッセージは、機器を制御する制御局（入力処理装置１１）が上記機器を検索するための検索要求、または、上記機器が上記制御局に対して存在を通知するための存在通知であってもよい。
【０１７０】
上記の構成によれば、同報メッセージは、第１の処理装置および第２の処理装置の間の接続を確立するための検索要求または存在通知である。これらはネットワークに参加する複数の機器それぞれに向けて送信されるマルチキャストメッセージであるため、通常は、電子機器と通信可能に接続された外部の機器にも送信されるメッセージである。
【０１７１】
しかしながら、第１の処理装置は、第１の処理装置と第２の処理装置とを１対１に通信可能に接続する第１専用通信接続部を介して、上記同報メッセージを第２の処理装置に送信するので、同報メッセージが外部の機器に送信されることはない。よって、同報メッセージであっても、第１の処理装置は、ＣＰＵ間通信を行う相手を正しく特定することができる。
【０１７２】
本発明の態様３に係る電子機器は、上記態様２において、上記第１の処理装置から、上記第１専用通信接続部を介して、上記第２の処理装置へ上記同報メッセージが送信されたことにより接続が確立された後、上記第１の処理装置および第２の処理装置の間において、上記相互通信接続部を介して、上記同報メッセージ以外のメッセージがやり取りされてもよい。
【０１７３】
上記の構成によれば、同報メッセージの送信によって接続が確立された後は、同報メッセージ以外のメッセージのやり取りは、相互通信接続部を介して行われる。
【０１７４】
これにより、同報メッセージ以外のメッセージを、第１の処理装置と第２の処理装置との間でやり取りすることができるとともに、同報メッセージ以外のメッセージを外部に送信することも可能になる。
【０１７５】
本発明の態様４に係る電子機器は、上記態様１において、上記相互通信接続部と接続されている他の装置と通信可能なように、上記相互通信接続部と接続された第３の処理装置（通話処理装置３３）と、上記第１の処理装置（入力処理装置３１）と上記第３の処理装置とを、１対１に通信可能に接続する第２専用通信接続部（ＵＡＲＴ接続部１８２）と、を備え、上記第１の処理装置は、上記同報メッセージを、上記相互通信接続部ではなく、上記第２専用通信接続部を介して、上記第３の処理装置に対して送信する第２送信手段（信号生成部３１１２）を備え、上記同報メッセージの宛先に応じて、上記第１専用通信接続部および上記第２専用通信接続部のいずれにより上記同報メッセージの送信を行うかを制御してもよい。
【０１７６】
上記の構成によれば、第２の処理装置に加えて、第３の処理装置を第１の処理装置と１対１に通信可能に接続している。また、同報メッセージの宛先に応じて、第１専用通信接続部および第２専用通信接続部のいずれにより送信を行うかを制御する。
【０１７７】
これにより、コントロールポイントとして動作する処理装置は、デバイスとして動作する複数の処理装置との間でプラグアンドプレイを実行することによるＣＰＵ間通信が可能となる。
【０１７８】
本発明の態様５に係る電子機器は、上記態様１から３のいずれかにおいて、上記第１の処理装置は、機器を制御する制御局であり、上記第２の処理装置は、上記機器であり、上記第１の処理装置は、上記第２の処理装置との接続が確立された後、上記第２の処理装置を制御するための制御信号を上記相互通信接続部を介して上記第２の処理装置に対して送信する制御信号送信手段（信号生成部１１１２、信号生成部２１１２）をさらに備えてもよい。
【０１７９】
上記の構成によれば、第１の処理装置において制御信号が生成され、生成された制御信号が相互通信接続部を介して第２の処理装置に送信される。
【０１８０】
これにより、プラグアンドプレイを用いたＣＰＵ間通信によって、さまざまな電子機器を実現することができる。
【０１８１】
本発明の態様６に係る電子機器は、上記態様１から３のいずれかにおいて、上記第２の処理装置は、受信したテレビジョン放送信号を処理して得られた映像を表示する表示処理装置（１２）であり、上記第１の処理装置は、上記第２の処理装置を制御するための入力操作を受け付ける入力処理装置（１１）であり、上記第２の処理装置との接続が確立された後、上記入力操作に応じた制御信号を、上記相互通信接続部を介して上記第２の処理装置に対して送信する制御信号送信手段（信号生成部１１１２）をさらに備えてもよい。
【０１８２】
上記の構成によれば、第１の処理装置において、入力操作に応じた制御信号が生成され、生成された制御信号が相互通信接続部を介して第２の処理装置に送信されることによって、テレビジョン放送信号を処理して得られる映像の表示制御が行われる。
【０１８３】
これにより、プラグアンドプレイを用いたＣＰＵ間通信によって、いわゆるテレビを実現することができる。
【０１８４】
本発明の態様７に係る電子機器は、上記態様１から５のいずれかにおいて、上記第１の処理装置および上記第２の処理装置のうち少なくとも一方は、上記相互通信接続部を介して、上記外部機器との間の接続を確立するための同報メッセージを送信、または、受信してもよい。
【０１８５】
上記構成によれば、外部機器と第１の処理装置および第２の処理装置のうち少なくとも一方とが、通信規約に従って接続を確立するので、外部機器と電子機器内部の処理装置との間でプラグアンドプレイを実行することによるＣＰＵ間通信が可能となる。
【０１８６】
本発明の態様８に係る電子機器は、上記態様６において、上記第１の処理装置は、上記第２の処理装置に、上記第２の処理装置が備える表示部（１５）の表示領域において入力操作のためのＧＵＩ部品を表示させるよう指示するものであり、上記第２の処理装置は、上記相互通信接続部を介して、上記外部機器からの指示に応じて上記表示領域に上記ＧＵＩ部品とは別のＧＵＩ部品を表示させてもよい。
【０１８７】
上記構成によれば、外部機器と第２の処理装置とは、通信規約に従って接続を確立するので、外部機器と電子機器内部の処理装置との間でプラグアンドプレイを実行することによるＣＰＵ間通信が可能となる。
【０１８８】
本発明の態様９に係る電子機器（テレビ３）は、上記態様１から３のいずれかにおいて、上記第２の処理装置は、受信したテレビジョン放送信号を記録し、記録した上記テレビジョン放送信号を処理して得られた映像および音声を出力する録画／再生処理装置（放送録画処理装置２２）であり、上記第１の処理装置は、上記第２の処理装置を制御するための入力操作を受け付けるとともに、上記第２の処理装置が出力した映像を表示し、音声を出力する入力／表示処理装置（放送表示処理装置２１）であり、上記第２の処理装置との接続が確立された後、上記入力操作に応じた制御信号を、上記相互通信接続部を介して上記第２の処理装置に対して送信する制御信号送信手段（信号生成部２１１２）をさらに備えてもよい。
【０１８９】
上記の構成によれば、第１の処理装置において、入力操作に応じた制御信号が生成され、生成された制御信号が相互通信接続部を介して第２の処理装置に送信されることによって、テレビジョン放送信号を記録する処理（録画処理）または記録したテレビジョン信号を処理してえられた映像および音声を出力する処理（再生処理）が実行される。また、再生処理が実行される場合は、出力された映像および音声は第１の処理装置に送信され、映像および音声が出力される。
【０１９０】
これにより、プラグアンドプレイを用いたＣＰＵ間通信によって、いわゆるレコーダ内蔵のテレビを実現することができる。また、第１の処理装置と第２の処理装置とが着脱可能に構成されていれば、テレビとレコーダとを独立の電子機器として使用することも可能である。また、第１の処理装置および第２の処理装置の交換が容易となり、これらの装置のアップデートを容易に行うことができる。
【０１９１】
本発明の態様１０に係る電子機器は、上記態様１から７のいずれかにおいて、上記第１専用通信接続部および上記相互通信接続部を含み、上記第１の処理装置と上記第２の処理装置とを接続する接続部（１３）をさらに備え、上記第１の処理装置と上記第２の処理装置とは、上記接続部を介して着脱可能に構成されていてもよい。
【０１９２】
上記構成によれば、第１の処理装置と第２の処理装置とは着脱可能であるので、第１の処理装置と第２の処理装置とを別製品とすることが可能となる。これにより、これらの装置のアップデートを容易に行うことができる。
【０１９３】
本発明の態様１１に係る電子機器の制御方法は、プラグアンドプレイを実行するための通信規約を実装している第１の処理装置および第２の処理装置を備える電子機器の制御方法であって、上記第１の処理装置において、上記通信規約にて規定されており、上記第１の処理装置および第２の処理装置の間の接続を確立するための同報メッセージを、上記第１の処理装置、上記第２の処理装置、および上記電子機器の外部機器をそれぞれ相互に通信可能に接続する相互通信接続部ではなく、上記第１の処理装置と上記第２の処理装置とを１対１に通信可能に接続する第１専用通信接続部を介して、上記第２の処理装置に対して送信する送信ステップ（Ｓ２）を含む。
【０１９４】
上記の構成による作用効果は、上述した態様１と同じである。
【０１９５】
本発明の各態様に係る電子機器は、コンピュータによって実現してもよく、この場合には、コンピュータを上記電子機器が備える各手段として動作させることにより上記電子機器をコンピュータにて実現させる電子機器の制御プログラム、およびそれを記録したコンピュータ読み取り可能な記録媒体も、本発明の範疇に入る。
【０１９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９７】
本発明は、プラグアンドプレイを実行するための通信規約を実装している複数の処理装置を備える電子機器に利用することができる。
【符号の説明】
【０１９８】
１        テレビ（電子機器）
２        テレビ（電子機器）
６        外部機器
１１      入力処理装置（第１の処理装置）
１２      表示処理装置（第２の処理装置）
１３      接続部
２１      放送表示処理装置（入力／表示処理装置）
２２      放送録画処理装置（録画／再生処理装置）
３１      入力処理装置（第１の処理装置）
３３      通話処理装置（第３の処理装置）
１１２    イーサネット信号切替部（相互通信接続部）
１１３    イーサネット端子部（相互通信接続部）
１３１    イーサネット接続部（相互通信接続部）
１３２    ＵＡＲＴ接続部（第１専用通信接続部）
１８２    ＵＡＲＴ接続部（第２専用通信接続部）
１１１２  信号生成部（生成手段、送信手段、信号生成手段、制御信号送信手段）
２１２２  信号生成部（信号生成手段、制御信号送信手段）
３１１２  信号生成部（第２送信手段）
Ｓ２      送信ステップ
【図１】
2015125481.tif 000003
【図２】
2015125481.tif 000004
【図３】
2015125481.tif 000005
【図４】
2015125481.tif 000006
【図５】
2015125481.tif 000007
【図６】
2015125481.tif 000008
【図７】
2015125481.tif 000009
【図８】
2015125481.tif 000010
【図９】
2015125481.tif 000011
【図１０】
2015125481.tif 000012